(57)【特許請求の範囲】
【請求項１】
浴槽から浴水を吸引して循環路を循環させるポンプと、前記循環路に設けられるとともに電極を備え循環される浴水を電気分解して酸性の浴水とアルカリ性の浴水を生成する電解槽と、ゼータ電位処理が施され前記酸性の浴水を濾過する第１フィルターと、ゼータ電位処理が施され前記アルカリ性の浴水を濾過する第２フィルターと、前記第１フィルターで濾過された浴水と前記第２フィルターで濾過された浴水とを合流させる合流部とを備えたことを特徴とする循環温浴器。
【請求項２】
電解槽が、密閉容器を隔膜で区画して形成されそれぞれに電極が配設された第１電解室および第２電解室を備えており、前記第１電解室と前記第２電解室には浴水を通水して電気分解することを特徴とする請求項１記載の循環温浴器。
【請求項３】
ポンプの吐出側の循環路に電解槽と第１フィルター及び第２フィルターとをこの順に設け、前記電解槽の流入側と合流部の後流側の循環路とをそれぞれ流路切り換え手段を介して迂回路で接続するとともに、前記電解槽の第１電解室と第２電解室の流出側にそれぞれ逆止弁を設け、前記第１フィルターと前記第２フィルターには逆洗時の排水を排出する排水路をそれぞれ設け、前記流路切り換え手段を切り換えることによって前記ポンプを吐出された浴水が前記迂回路を経て前記第１フィルターと前記第２フィルターを洗浄後前記排水路から排出されることを特徴とする請求項２記載の循環温浴器。
【請求項４】
浴水を電気分解して酸性の浴水とアルカリ性の浴水を生成し、生成された酸性の浴水とアルカリ性の浴水をそれぞれゼータ電位処理された２つのフィルターでそれぞれ濾過した後、濾過された酸性とアルカリ性の浴水を合流させることを特徴とする循環温浴器の濾過方法。
【発明の詳細な説明】
【０００１】
【発明の属する技術分野】
本発明は、浴水を加熱しながら循環して浄化する循環温浴器、およびその濾過方法に関するものである。
【０００２】
【従来の技術】
近年、生活の快適さ便利さを追求して循環温浴器が普及しつつある。この循環温浴器は浴水を循環させ、濾過槽で浴水を濾過して浄化し、ヒーターを設けて浴水を加熱して多くは、２４時間いつでも入浴できるものである。
【０００３】
そこで従来の循環温浴器について説明する。図８は従来の循環温浴器の概略構成図である。図８において、５１は浴水中の毛髪、糸くず等の大きなごみを除去するための多孔質スポンジ状のヘアーキャッチャー、５２は浴槽５７内の浴水を吸引し後述する循環路５８を循環させるポンプ、５３は循環路５８に設けられポンプ５２によって循環される浴水を浄化する濾過槽であり、濾過槽５３には多孔質セラミックボールや麦飯石等の濾材５５が内蔵されている。５４は浄化された浴水を所定の温度にまで加熱して浴槽５７内の浴水を一定温度に保つことができるヒーターである。５６はポンプ５２や濾過槽５３、ヒーター５４等を内部に収容した循環温浴器の本体である。循環路５８は、本体５６内でポンプ５２と濾過槽５３、濾過槽５３とヒーター５４の間をそれぞれ接続する配管５８１と、本体５６と浴槽５７との間をつなぐホース５８２から構成されるものである。
【０００４】
以上のように構成された従来の循環温浴器についてその動作を説明する。ポンプ５２が運転を開始されると、浴槽５７内の浴水がヘアーキャッチャー５１から吸引され、循環路５８を通して循環が開始される。この際浴水中の毛髪や糸くず等の大きなゴミはヘアーキャッチャー５１で除去されて粗濾過され浄化される。次いでポンプ５２から吐き出された浴水は循環路５８を通り濾過槽５３に送られる。濾過槽５３には濾材５５が多数充填されており、浴水の温度付近で自然発生する好気性浄化細菌や、皮膚常在菌類等でミクロコッカス（Ｍｉｃｒｏｃｏｃｃｕｓ）、シュウドモナス（Ｐｓｅｕｄｏｍｏｎａｓ）、ストレプトコッカス（Ｓｔｒｅｐｔｏｃｏｃｃｕｓ）等に代表される微生物がこの濾材５５に固定されて棲息している。このため濾材５５によって浴水中の濁度成分の吸着が行われるとともに、この濾材５５に固定された細菌や微生物によって濁度成分を構成する脂分や蛋白質等が分解、濾過される。濾過槽５３の生物濾過によって浄化された浴水は循環路５８を通ってヒーター５４に入る。ヒーター５４において、浄化後の浴水は浴槽５７内の浴水を一定温度に保つため所定の温度にまで加熱される。加熱後、浴水は循環路５８のホース５８２を通って、浴槽５７内に戻される。
【０００５】
このように従来の循環温浴器は、上記した浴水の循環を概ね２４時間行っており、常時浴水中の濁度成分を取り除いて浄化し、いつも快適に入浴することができるようにしている。
【０００６】
【発明が解決しようとする課題】
しかしながら、従来の循環温浴器のような細菌や微生物等による生物濾過を行う場合には、循環温浴器を設置した後濾過槽５３の浄化能力を十分発揮させることができるようになるまでに、比較的長時間の立ち上がり期間、おおむね運転開始初期の７日間〜１０日間程度の期間を必要とするものであった。というのは、濾過槽５３の濾材５５に固定される好気性浄化細菌は浴水中で自然発生する必要があり、しかもそれが濾材５５上で固定されなければならないし、皮膚常在菌類も同じく濾材５５に繁殖、固定される必要があるからである。この立ち上がり期間の間は濾過槽５３に予定されている本来の浄化能力は期待できない。しかもこのような生物濾過のための濾過槽５３は大型の装置とならざるをえないといった問題があった。
【０００７】
また、浴水の水質が悪かったり、入浴者が外薬を使用中であったりすると、極端な場合には入浴者の体質や服用中の薬が影響するなどして、好気性浄化細菌が死滅したり、繁殖がすすまず濾材５５への固定が遅れ、濾過槽５３が思った通りに浄化性能を発揮しないといった問題が発生していた。
【０００８】
さらに、こうした細菌や微生物を良好な状態で維持するためには、循環温浴器の運転中は浴水の温度を３５℃以上に常に維持しておかなければならないが、お風呂を使用しない時間帯でも浴水の温度を維持するためにヒーターに通電する必要があり、加熱のためのランニングコストがかかるという問題もある。
【０００９】
そして、長時間循環温浴器の未使用状態が続くと有機物が減少して細菌や微生物が死滅するため、これを再使用する際には濾過槽内のぬめり等の洗浄と乾燥が必要になる。さらに運転を再開すると上述の立ち上がり期間が再び必要になり、循環温浴器のメンテナンスを欠かすことができず、メンテナンス上の大きな課題をもつものであった。
【００１０】
そこで本発明は従来の問題点を解決するためのもので、浄化性能に優れ、装置を設置した当初から浄化性能を十分に発揮でき、小型で衛生的であり、使用しないときにはその期間の長さに関わらず停止することができ、お風呂使用時以外は浴水の温度を保持することが不要で省エネとなる循環温浴器を提供することを目的とする。
【００１１】
また浄化性能に優れ、装置を設置した当初から浄化性能を十分に発揮でき、衛生的な循環温浴器の濾過方法を提供することを特徴とする。
【００１２】
【課題を解決するための手段】
この課題を解決するために本発明の循環温浴器は、循環路に設けられるとともに電極を備え循環される浴水を電気分解して酸性の浴水とアルカリ性の浴水を生成する電解槽と、ゼータ電位処理が施され前記酸性の浴水を濾過する第１フィルターと、ゼータ電位処理が施され前記アルカリ性の浴水を濾過する第２フィルターと、前記第１フィルターで濾過された浴水と前記第２フィルターで濾過された浴水とを合流させる合流部とを備えたことを特徴とする。
【００１３】
これにより、小型でありながら浄化性能に優れ、装置を設置した当初から浄化性能を十分に発揮でき、小型で衛生的であり、使用しないときにはその期間の長さに関わらず停止することができ、お風呂使用時以外は浴水の温度を保持することが不要で省エネを実現できる。
【００１４】
【発明の実施の形態】
本発明の請求項１に記載の発明は、浴槽から浴水を吸引して循環路を循環させるポンプと、循環路に設けられるとともに電極を備え循環される浴水を電気分解して酸性の浴水とアルカリ性の浴水を生成する電解槽と、ゼータ電位処理が施され酸性の浴水を濾過する第１フィルターと、ゼータ電位処理が施されアルカリ性の浴水を濾過する第２フィルターと、第１フィルターで濾過された浴水と第２フィルターで濾過された浴水とを合流させる合流部とを備えたことを特徴とする循環温浴器であるから、酸性の浴水中の濁度成分は凝集されるとともに第１フィルターに電位的に吸着され、アルカリ性の浴水中の濁度成分は第２フィルターに電位的に吸着される。
【００１５】
請求項２に記載された発明は、電解槽が密閉容器を隔膜で区画して形成されそれぞれに電極が配設された第１電解室および第２電解室を備えており、第１電解室と第２電解室に浴水を通水して電気分解するから、構成がコンパクトになる。
【００１６】
請求項３に記載された発明は、ポンプの吐出側の循環路に電解槽と第１フィルター及び第２フィルターとをこの順に設け、前記電解槽の流入側と合流部の後流側の循環路とをそれぞれ流路切り換え手段を介して迂回路で接続するとともに、前記電解槽の第１電解室と第２電解室の流出側にそれぞれ逆止弁を設け、前記第１フィルターと前記第２フィルター
には逆洗時の排水を排出する排水路をそれぞれ設け、前記流路切り換え手段を切り換えることによって前記ポンプを吐出された浴水が前記迂回路を経て前記第１フィルターと前記第２フィルターを洗浄後前記排水路から排出されるから、逆洗によって第１フィルターと第２フィルターの寿命を延ばすことができる。
【００１７】
請求項４に記載された発明は、浴水を電気分解して酸性の浴水とアルカリ性の浴水を生成し、生成された酸性の浴水とアルカリ性の浴水をそれぞれゼータ電位処理された２つのフィルターでそれぞれ濾過した後、濾過された酸性とアルカリ性の浴水を合流させることを特徴とする循環温浴器の濾過方法であるから、浄化性能に優れたものである。
【００１８】
以下、本発明の実施の形態について、図１、図６、図７を用いて説明する。
（実施の形態１）
本発明の一実施の形態の循環温容器および濾過方法について説明する。図１は本発明の一実施の形態における循環温浴器の概略構成図である。
【００１９】
図１において、１は浴槽、２は循環路、３はヘアーキャッチャー、４は循環温浴器の本体、５はポンプである。循環路２は後述する電解槽１１に入る前で２つに分岐され、後述する第１フィルター１２、第２フィルター１３を経た後で合流されるものである。ヘアーキャッチャー３は循環路２の吸い込み端に設けられ、毛髪や糸くず等の大きなゴミを除去するもので、多孔質のスポンジ状体のものである。６は密閉容器からなる電解槽１１を２つの電解室に区画する隔膜であり、７は第１電極、８は第１電解室、９は第２電極、１０は第２電解室である。第１電解室８と第２電解室１０は、隔膜６によって電解槽１１を構成する密閉容器を区画することで形成されており、第１電解室８の内部には第１電極７が配設されるとともに、第２電解室１０の内部には第２電極９が配設されている。第１電極７、第２電極９はいずれもが腐食防止の目的でチタンに白金メッキを施したものである。密閉容器を隔膜で区画して電解槽１１を構成するから循環温浴器をコンパクトな構成にすることができる。
【００２０】
１２は表面に後述するゼータ電位処理が施され、酸性の浴水を濾過するための第１フィルターである。同じく１３は表面にゼータ電位処理が施され、アルカリ性の浴水を濾過するための第２フィルターである。また１４は浄化後の浴水を所定の温度にまで加熱して浴槽５７内の浴水を一定温度に保つことができるヒーターであり、１５は第１フィルター１２で濾過された浴水と第２フィルター１３で濾過された浴水とを合流させる合流部である。ポンプ５、電解槽１１、第１フィルター１２、第２フィルター１３、ヒーター１４はそれぞれ循環路２で接続されるとともに、いずれもが循環温浴器の本体４の内部に収容されている。
【００２１】
以上のように構成された本実施の形態１の循環温浴器についてその動作を説明する。ポンプ５が運転を開始されると、浴槽１内の浴水がポンプ５の作用でヘアーキャッチャー３から吸引され、循環路２を通して循環が開始される。この際浴水中の毛髪や糸くず等の大きなゴミはヘアーキャッチャー３で除去、分離されて浄化される。次いでポンプ５から吐き出された浴水は循環路２を通り電解槽１１に送られる。しかし電解槽１１の直前で循環路２は２つに分岐され、分岐路のそれぞれが第１電解室８と第２電解室１０に接続される。第１電解室８内には第１電極７が設けられ、第２電解室１０内には第２電極９が設けられているから、図示しない制御部がこれも図示しない電源部から第１電極７にプラスの直流電圧を印加し、また第２電極９にはマイナスの直流電圧を印加する。これによって電解槽１１内の浴水は電気分解され、第１電解室８には酸性の浴水が生成され、第２電解室１０にはアルカリ性の浴水が生成される。
【００２２】
第１電解室８と第２電解室１０にはそれぞれ流出路が接続されており、第１電解室８は一方の流出路によって第１フィルター１２と接続され、第２電解室１０は他方の流出路によって第２フィルター１３に接続される。従って第１電解室８で生成された酸性の浴水中の濁度成分は第１フィルター１２で濾過され、第２電解室１０で生成されたアルカリ性の浴水中の濁度成分は第２フィルター１３で濾過される。この第１フィルター１２と第２フィルター１３とは、いずれもが糸状のカーボンを卷いたフィルターであり、カチオン性コロイド状シリカ等の改質剤によってその表面のゼータ電位が変化させられいる。なおこのゼータ電位というのは、互いに接した液相と固相とが相対的に運動するとき、両者の界面に生じる電位のことである。そして本実施の形態１でいえば第１フィルター１２、第２フィルター１３の表面上を水が流れるから、この相対運動でフィルター表面に生じる電位がゼータ電位に該たることになる。このように本発明にいうゼータ電位処理は、第１フィルター１２、第２フィルター１３のような固体表面をカチオン性コロイド状シリカ等の改質剤で処理して、水に対して所定の電位特性のゼータ電位をもたせるようにする処理のことである。図２は本発明の一実施の形態におけるフィルターのゼータ電位処理前後のゼータ電位曲線図である。縦軸はゼータ電位を表し、横軸は接する水のｐＨを示している。図２によれば、第１フィルター１２、第２フィルター１３は、ゼータ電位未処理時にはｐＨ７の水との間でー１００ｍＶ程度のマイナスのゼータ電位を帯びているが、ゼータ電位処理を行うことにより＋１０ｍＶ程度のプラスのゼータ電位に変化している。そしてｐＨがｐＨ７より低くなった酸性のときには、処理、未処理を問わずゼータ電位はプラスを示す。しかしｐＨがｐＨ７より高くなってアルカリ性を示すときには、処理、未処理を問わずゼータ電位はマイナスとなる。なお図２に記載したゼータ電位曲線は糸巻きフィルターをプラスにゼータ電位処理した場合の典型的なものを示すものである。そしてｐＨ７の水と接触する状態においては、ゼータ電位処理を行わない限り、糸巻きフィルターでは通常ゼータ電位はマイナスである。
【００２３】
第１フィルター１２、第２フィルター１３からの吐出路はお互いに合流部１５で合流させられる。第１フィルター１２で濾過された酸性の浴水と、第２フィルター１３で濾過されたアルカリ性の浴水とは、合流部１５で合流されて中和され、ヒーター１４に送られる。ヒーター１４では浴槽１内の浴水の温度を一定に保つために浴水を所定の温度にまで加熱する。ヒーター１４で加熱された浴水は循環路２を介して再び浴槽１に戻される。
【００２４】
次にこの循環温浴器で行われる浄化について詳しく説明する。第１電極７にプラスの直流電圧を印加し、第２電極９にマイナスの直流電圧を印加すると、電解槽１１内の浴水は電気分解され、第１電解室８内では酸性の浴水が生成され、第２電解室１０内にはアルカリ性の浴水が生成される。ところで浴水中の濁度成分も浴水中で運動する固相であるから浴水との間にゼータ電位をもっている。浴水の濁度成分はｐＨ７（中性）付近で一般的にマイナスの電位を帯びているものであり、図３に示すようにｐＨ変化にともなってゼータ電位は変化する。図３は浴水中に一般的に含まれる濁度成分のゼータ電位曲線図である。すなわち高いｐＨ（アルカリ性）においては一般的な濁度成分はマイナスのゼータ電位を示し、ｐＨが下がるにつれてゼータ電位も低下し、ｐＨ７より低い所定のｐＨ（以下、等電点という）でゼータ電位は０ｍＶとなる。さらにｐＨが低下して低いｐＨ（酸性）になると、プラスのゼータ電位を示すようになる。ただこのような一般的な濁度成分とは違って、わずかではあるが、これとは逆にｐＨ７（中性）付近でプラスの電位を帯びている濁度成分も微少量だが存在する。図４は浴水中に微少量含まれる濁度成分のゼータ電位曲線図である。この濁度成分は低いｐＨ（酸性）ではプラスのゼータ電位を示し、ｐＨが上がるにつれてゼータ電位も上昇して、ｐＨ７より高い所定の等電点でゼータ電位は０ｍＶとなる。そしてさらにｐＨが上がって高いｐＨ（アルカリ性）になると、マイナスのゼータ電位を示すようになるものである。
【００２５】
第１電解室８内で生成された酸性の浴水中の濁度成分は、ほとんどが図３に示すタイプの濁度成分であるから、等電点より弱い酸性（ｐＨを高く）にしてゼータ電位をマイナスにしておけば、第１フィルター１２は図２に記載したゼータ電位曲線Ｂの特性を有しているため、物理的な濾過のほか電位吸着の作用で除濁できる。また濁度成分が等電点付近で０ｍＶの電位をもつ場合には、濁度成分を構成する粒子が互いにファンデルワールス力で凝集を開始して成長し、最終的には第１フィルター１２の表面上にこれも同じくファンデルワールス力等で吸着される。さらにｐＨ７では溶解していた溶解性の脂肪酸が、酸性の条件下析出反応を起こすようになる。このように大部分の濁度成分は酸性の浴水とすることによって濾過されるものである。
【００２６】
次に第２電解室１０で生成されたアルカリ性の浴水中の濁度成分は、図２で示すように第２フィルター１３が等電点以下のアルカリ性のときには第２フィルター１３がプラスのゼータ電位をもっているため、濁度成分がマイナスのゼータ電位をもつｐＨである限り、物理的な濾過のほかに電位吸着の作用で除濁される。また濁度成分が０ｍＶのゼータ電位をもつ場合には、酸性の場合と同様に、濁度成分のお互いの粒子がファンデルワールス力で凝集を起こして成長し、同じくファンデルワールス力が作用して第２フィルター１３の表面に吸着される。
【００２７】
また、図４で示した微少量の濁度成分の場合、第２電解室１０で生成されたアルカリ性の浴水中の等電点付近で電位が０ｍＶとなり、濁度成分のお互いの粒子がファンデルワールス力によって凝集を起こして成長し、第２フィルター１３の表面にファンデルワールス力等で吸着される。このほか、Ｃａ＋＋、Ｎａ＋等の金属イオンが核となって溶け込んでいる脂質を析出させるケン化現象による浴水中の脂質の析出も起こり、第２フィルター１３に懸濁物質として濾過される。第２フィルター１３においても電位吸着の条件が整えば吸着される。
【００２８】
ところで以上述べた酸性の浴水のｐＨ、アルカリ性の浴水のｐＨは、酸性の場合はｐＨ５．５以下が望ましく、アルカリ性場合はｐＨが９．５以上であることが望ましい。電位吸着、ファンデルワールス力、脂質析出、脂肪酸析出等の全てが総合的に関与してこのようなｐＨを示すものである。本実施の形態１においては酸性のｐＨは４．５、アルカリのｐＨは１１としている。図５は電気分解、ゼータ電位処理の有無を条件にした除濁曲線図である。縦軸は濁度、横軸は運転時間を示す。図５において、（１）は電気分解無・ゼータ電位処理無、（２）は電気分解無・ゼータ電位処理有、（３）は電気分解有・ゼータ電位処理無、（４）は電気分解有・ゼータ電位処理有の場合であり、図５は濁度２度の浴水が運転時間とともにどのように変化したかが示すものである。運転開始後３時間に（１）の電気分解無・ゼータ電位処理無の場合は０．６〜０．７度の濁度になり、（２）の電気分解無・ゼータ電位処理有の場合は０．２〜０．３度の濁度になっているが、（３）の電気分解有・ゼータ電位処理無の場合と（４）の電気分解有・ゼータ電位処理有の場合には、ともに０．１度以下なって、除濁性能が電気分解を行うと格段に向上することが分かる。そして（３）の電気分解有・ゼータ電位処理無の場合と（４）の電気分解有・ゼータ電位処理有の場合とを比較すると、運転開始後３０分〜１時間に（３）の電気分解有・ゼータ電位処理無の場合は０．５度程度であるが、（４）の電気分解有・ゼータ電位処理有の場合は０．２度になり、運転開始初期に著しく除濁性能を向上させることができる。従って電気分解し、ゼータ電位処理を施したフィルターを用いることで浄化性能を向上させるとともに、浄化速度を上げることができる。
【００２９】
濾過された酸性の浴水とアルカリ性の浴水は、合流部１５で合流されるため中和され、電気分解を行わない循環温浴器と同様に、浴槽１ではｐＨ７付近の浴水になるから、浴槽１内では通常の循環温浴器と全く変わりがない。またアルカリ水の一部を外部に排水し、合流後の浴水を弱酸性にして皮膚の活性化をねらったり、逆に酸性の浴水の一部を同じように捨ててアルカリ性の浴水とすることも自在である。
【００３０】
（実施の形態２）
本発明の他の実施の形態の循環温浴器について説明する。図６は本発明の他の実施の形態の浄化運転時の概略構成図、図７は本発明の他の実施の形態の逆洗運転時の概略構成図である。この実施の形態２において実施の形態１と同一の符号を用いているものは、実施の形態１と基本的に同一のものであり、詳細な説明は実施の形態１に譲って省略する。
【００３１】
図６、図７において、１６はポンプ５の吐出側の循環路２に設けられた第１三方弁、１７は浴水が合流される合流部１５の後流側でヒーター１４の前に設けられた第２三方弁である。循環路２にはポンプ５、電解槽１１、第１フィルター１２、第２フィルター１３、ヒーター１４が順に設けられているが、実施の形態２ではこのうち電解槽１１、第１フィルター１２、第２フィルター１３をバイパスする迂回路２４が設けられている。三方弁１６と第２三方弁１７はこの循環路２と迂回路２４の流路の接続状態を切り換える流路切り換え手段である。１８は第１電解室８と第１フィルター１２の間に設けられた第１逆止弁、１９は第２電解室１０と第２フィルター１３の間に設けられた第２逆止弁である。２０は第１電磁弁、２１は第１排水路、２２は第２電磁弁、２３は第２排水路である。第１排水路２１と第２排水路２３は、第１フィルター１２、第２フィルター１３を逆洗した時、洗浄後の排水を排水するものである。
【００３２】
通常の浄化運転の時には、第１三方弁１６と第２三方弁１７は実施の形態１と全く同様に循環路２を浴水が流れるように切り換えられる。従ってポンプ５が運転を開始されると、浴槽１内の浴水がヘアーキャッチャー３から吸引され、循環が開始される。ヘアーキャッチャー３で浴水中の毛髪や糸くず等の大きなゴミは除去されて浄化される。ポンプ５から吐き出された浴水は循環路２、三方弁１６を通り電解槽１１に送られる。電解槽１１の直前で循環路２は２つに分岐され、分岐路のそれぞれが第１電解室８と第２電解室１０に接続される。電解槽１１内の浴水は電気分解され、第１電解室８には酸性の浴水が生成され、第２電解室１０にはアルカリ性の浴水が生成される。第１電解室８は第１逆止弁を介して第１フィルター１２と接続され、第２電解室１０は第２逆止弁を介して第２フィルター１３に接続されているから、第１電解室８で生成された酸性の浴水の濁度成分は第１フィルター１２で濾過され、第２電解室１０で生成されたアルカリ性の浴水の濁度成分は第２フィルター１３で濾過される。第１フィルター１２で濾過された酸性の浴水と、第２フィルター１３で濾過されたアルカリ性の浴水とは、合流部１５で合流されて中和され、三方弁１７を経てヒーター１４に送られる。ヒーター１４では浴槽１内の浴水の温度を一定に保つために浴水を所定の温度にまで加熱され、循環路２を介して再び浴槽１に戻される。
【００３３】
次に逆洗運転の時には、図示しない制御部が給電を止めてポンプ５の運転を停止し、次に三方弁１６、三方弁１７を切り換え、電磁弁２０、電磁弁２２を開にする。すると三方弁１６によって循環路２は迂回路２４に接続され、三方弁１７によって迂回路２４は循環路２の第１フィルター１２、第２フィルター１３側に接続される。この状態でポンプ５の運転を再開すると、浴槽１内の浴水はヘアーキャッチャー３から吸引され、ポンプ５、三方弁１６を経て迂回路２４を送られ、三方弁１７を経て循環路２の合流部１５に送られる。浴水は合流部１５で浄化運転とは逆方向に流れて２つに分流され、それぞれが第１フィルター１２と第２フィルター１３を洗浄した後、第１排水路２１と第２排水路２３から排水される。電解槽１１の流出路にはそれぞれ第１逆止弁１８と第２逆止弁１９が設けられているため、電解槽１１側へは浴水は流れ込むことができず、第１排水路２１，第２排水路２３側の電磁弁２０、電磁弁２２が開になっているからである。第１フィルター１２と第２フィルター１３においてフィルター表面で濾過された浴水の懸濁物質は水圧で離脱される。離脱された懸濁物質は第１排水路２１と第２排水路２３から洗浄後の浴水と一緒に外部に排出される。この逆洗運転を定期的に行うことによって実施の形態２においては第１フィルター１２と第２フィルター１３の寿命を延ばすことができる。
【００３４】
【発明の効果】
以上のように本発明の循環温浴器によれば、浄化性能に優れ、装置を設置した当初から浄化性能を十分に発揮でき、小型で衛生的であり、使用しないときにはその期間の長さに関わらず停止することができ、お風呂使用時以外は浴水の温度を保持することが不要で省エネを実現できる。さらに定期的に逆洗運転を行うことによってフィルターの寿命を延ばすことができるものである。
【図面の簡単な説明】
【図１】本発明の一実施の形態における循環温浴器の概略全体図
【図２】本発明の一実施の形態におけるフィルターのゼータ電位処理前後のゼータ電位曲線図
【図３】浴水中に一般的に含まれる濁度成分のゼータ電位曲線図
【図４】浴水中に微少量含まれる濁度成分のゼータ電位曲線図
【図５】電気分解、ゼータ電位処理の有無を条件にした除濁曲線図
【図６】本発明の他の実施の形態の浄化運転時の概略構成図
【図７】本発明の他の実施の形態の逆洗運転時の概略構成図
【図８】従来の循環温浴器の概略構成図
【符号の説明】
１，５７  浴槽
２，５８  循環路
３，５１  ヘアーキャッチャー
４，５６  本体
５，５２  ポンプ
６  隔膜
７  第１電極
８  第１電解室
９  第２電極
１０  第２電解室
１１  電解槽
１２  第１フィルター
１３  第２フィルター
１４，５４  ヒーター
１５  合流部
１６，１７  三方弁
１８  第１逆止弁
１９  第２逆止弁
２０  第１電磁弁
２１  第１排水路
２２  第２電磁弁
２３  第２排水路
２４  迂回路
５３  濾過槽
５５  濾材
５８１  配管
５８２  ホース
【図１】
0003570080.tif 000002
【図２】
0003570080.tif 000003
【図３】
0003570080.tif 000004
【図４】
0003570080.tif 000005
【図５】
0003570080.tif 000006
【図６】
0003570080.tif 000007
【図７】
0003570080.tif 000008
【図８】
0003570080.tif 000009